(57)【特許請求の範囲】
【請求項１】
正面視略長方形ないし略台形かつ側面視略台形の中空略六面体から、正面壁と左右壁とに開口部が形成されることにより、当該開口部を収容物の出し入れ口とする容器が前記開口部の下方に形成されて成り、当該容器の底面壁と、それに連なる前記正面壁又は背面壁のいずれかの底部付近と、を構成する底板部が、着脱可能であるリーフベース本体と、
開閉可能な複数のリングを有し、前記リーフベース本体の細長状の天面に沿って取り付けられたファイルバインダと、を備える卓上リーフベース。
【請求項２】
前記リーフベース本体は、前記左右壁の内側表面に、前記底板部の左右端縁を受け入れて前後方向に案内する案内溝を有する、請求項１に記載の卓上リーフベース。
【請求項３】
前記正面壁は、前記開口部の上方にも残されている請求項１又は２に記載の卓上リーフベース。
【請求項４】
前記左右壁は、前記開口部の上方にも残されている請求項１ないし３の何れかに記載の卓上リーフベース。
【請求項５】
前記開口部は、前記正面壁から前記左右壁まで連結している、請求項１ないし４の何れかに記載の卓上リーフベース。
【請求項６】
前記開口部は、前記左右壁を前記背面壁に達するように横断している、請求項５に記載の卓上リーフベース。
【請求項７】
前記底板部を外した前記リーフベース本体の内部に、自身と同一形状の別の卓上リーフベースを底部から挿入して重ねることが可能なように、前記開口部の下方に位置する前記容器の前記左右壁が残余の部分よりも左右外方に張り出している、請求項１ないし６の何れかに記載の卓上リーフベース。
【請求項８】
前記底板部を外した前記リーフベース本体の内部に、自身と同一形状の別の卓上リーフベースを底部から挿入して重ねることが可能なように、前記リーフベース本体は、正面視略台形である、請求項１ないし７の何れかに記載の卓上リーフベース。
【請求項９】
前記底板部を外した前記リーフベース本体の内部に、自身と同一形状の別の卓上リーフベースを挿入して重ねたときに、前記別の卓上リーフベースの複数のリングが当接する部位に、当該複数のリングを逃す複数のスリットが、前記リーフベース本体の前記正面壁と前記背面壁との少なくとも一方壁に開口している、請求項７又は８に記載の卓上リーフベース。
【請求項１０】
前記リーフベース本体の前記複数のスリットの各々の左右に隣接する部位に、前記正面壁と前記背面壁とをつなぐ板部材が設けられている、請求項９に記載の卓上リーフベース。
【請求項１１】
前記ファイルバインダは、前記リーフベース本体の前記天面に沿って、当該天面と略同一幅で取り付けられる細長状の支持部をさらに有し、
前記複数のリングは前記支持部に開閉可能に支持されており、前記複数のリングの各々は、閉じたときに前記支持部からせり出して正面側及び背面側の上方に傾斜して伸びる直線状部分を有している、請求項１ないし１０の何れかに記載の卓上リーフベース。
【請求項１２】
正面視略長方形ないし略台形かつ側面視略台形の中空略六面体から、正面壁と左右壁とに開口部が形成されることにより、当該開口部を収容物の出し入れ口とする容器が前記開口部の下方に形成されて成り、当該容器の底面壁と、それに連なる前記正面壁又は背面壁のいずれかの底部付近と、を構成する底板部が、着脱可能であるリーフベース本体。
【請求項１３】
前記リーフベース本体の細長状の天面に沿った複数箇所に、ファイルバインダを締結するための貫通孔が形成されている、請求項１２に記載のリーフベース本体。
【請求項１４】
前記左右壁の内側表面に、前記底板部の左右端縁を受け入れて前後方向に案内する案内溝を有する、請求項１２又は１３に記載のリーフベース本体。
【請求項１５】
前記正面壁は、前記開口部の上方にも残されている請求項１２ないし１４の何れかに記載のリーフベース本体。
【請求項１６】
前記左右壁は、前記開口部の上方にも残されている請求項１２ないし１５の何れかに記載のリーフベース本体。
【請求項１７】
前記開口部は、前記正面壁から前記左右壁まで連結している、請求項１２ないし１６の何れかに記載のリーフベース本体。
【請求項１８】
前記開口部は、前記左右壁を前記背面壁に達するように横断している、請求項１７に記載のリーフベース本体。
【請求項１９】
請求項１ないし１１の何れかに記載の卓上リーフベースと、リーフ印刷物とを備え、
当該リーフ印刷物は、長方形のシート状であり、全体を二分する中心線に沿って切り取り用のミシン目が形成されており、前記中心線に沿った複数部位の付近であって前記中心線に対して対称となる位置に、それぞれ綴じ孔が形成され、前記中心線の両側には前記中心線を上辺とするよう印刷が施されている、卓上リーフベース製品。
【請求項２０】
前記中心線の側に段差が繰り返し現れる模様の飾り罫線が、前記中心線の付近かつ両側に、前記中心線に沿って印刷されている、請求項１９に記載の卓上リーフベース製品。
【発明の詳細な説明】
【技術分野】
【０００１】
本発明は、例えばカレンダーなどのリーフ印刷物を交換可能に保持する卓上リーフベース、当該卓上リーフベースの製造に好適なリーフベース本体、及び前記卓上リーフベースへの使用に適したリーフ印刷物に関する。
【背景技術】
【０００２】
従来、卓上リーフベースとして、側面視三角形の三角筒状体の頂部にリングが取り付けられ、綴じ孔のついたリーフ群をリングに吊り下げる形態のものが知られている。例えば特許文献１及び２には、リーフ群として１年分１２枚のカレンダー月表を含んだものを、卓上リーフベースに吊り下げる形態の卓上カレンダーが開示されている。カレンダー月表は、表示した月が終了すると、終了月の月表の綴じ孔をリングに沿って滑らせることにより、正面側から背面側へとめくることができ、それにより、常に当月の月表を正面に表示することが可能となっている。
【０００３】
１年分のリーフ群の使用が終了すると、卓上リーフベースはリーフ群とともに無用のものとなり、通常は廃棄される。このため、リーフ群だけでなく、卓上リーフベースも使い捨てを予定して、紙で制作されていた。仮に、卓上リーフベースを廃棄することなく継続的に使用するために、リーフ群のみを必要な折、例えば１年毎に交換しようとしても、従来の卓上リーフベースの構造では、リーフ群の交換のためにリングを一旦取り外す必要があり、ユーザが容易になし得るものではなかった。
【０００４】
卓上リーフベースを継続使用可能とすることは、省資源の観点及びコスト節減の観点から望ましいことではある。しかし、そのためには、リーフ交換がユーザの手によって容易になし得るものでなければならない。一方、卓上リーフベースに一旦取り付けたリーフ群が、不用意に卓上リーフベースから脱落するものであってはならない。また、長期の使用に耐えるためには、卓上リーフベースを堅牢な構造とする必要がある。同時に、卓上リーフベースを例えばプラスチック（合成樹脂）など、低廉かつ耐久性に優れる材料によって形成することが望ましいと言えるが、コストを節減するには、成形加工が容易でなければならない。さらには、卓上カレンダーへの応用を想定すると、卓上カレンダーを営業目的の広告媒体として利用しようとするスポンサーによって、かかる卓上カレンダーが顧客ないし潜在的顧客に配布されることが予想される。この場合に、スポンサー毎に異なるスポンサーの名称、商標等が印刷されたり刻印されたりした卓上リーフベースを製造するのは、コスト高となる。
【先行技術文献】
【特許文献】
【０００５】
【特許文献１】特開２００８−０５５８１９号公報
【特許文献２】特開２００８−１００３９０号公報
【発明の概要】
【発明が解決しようとする課題】
【０００６】
本発明は上記の問題点に鑑みてなされたもので、リーフ群の差し替えが容易であり、一旦取り付けたリーフ群が不用意に脱落することがなく、長期の使用に耐えるよう堅牢な構造であり、かつ製造が容易であり、さらに、スポンサー名等の変更に低コストで対応し得る卓上リーフベースを提供することを目的とする。本発明はさらに、当該卓上リーフベースの製造に好適なリーフベース本体、及び前記卓上リーフベースへの使用に好適なリーフ印刷物を提供することを目的とする。
【課題を解決するための手段】
【０００７】
上記課題を解決し上記目的を達成するために、本発明のうち第１の態様に係るものは、卓上リーフベースであって、リーフベース本体と、ファイルバインダとを備えるものである。リーフベース本体は、正面視略長方形ないし略台形かつ側面視略台形の中空略六面体から、正面壁と左右壁とに開口部が形成されることにより、当該開口部を収容物の出し入れ口とする容器が前記開口部の下方に形成されて成り、当該容器の底面壁と、それに連なる前記正面壁又は背面壁のいずれかの底部付近と、を構成する底板部が、着脱可能である。ファイルバインダは、開閉可能な複数のリングを有し、前記リーフベース本体の細長状の天面に沿って取り付けられている。
【０００８】
この構成によれば、リーフベース本体の細長状の天面に沿って、ファイルバインダが取り付けられており、このファイルバインダが、開閉可能な複数のリングを有しているために、上端に複数個の綴じ孔を有するリーフ群、例えばカレンダーを構成する１２枚の月表を、着脱容易に吊り下げることができる。また、ファイルバインダには、一旦閉じられたリングを閉じた状態に保持する保持機構が備わっているので、ファイルバインダに吊り下げられたリーフ群が不用意に外れることがない。それにより、例えば卓上カレンダーを営業目的の広告媒体として顧客に配布する業者、すなわちスポンサーは、卓上リーフベースを一旦配布すれば、その後は、年度ごとに翌年度の月表のセットのみを配布すれば足りる。
【０００９】
リーフベース本体の下部は、容器を形成するように正面壁、左右壁、及び背面壁が連結しており、それによって、リーフベース本体の土台となる下部は変形し難い堅牢な構造となっている。さらに、リーフベース本体の底板部は着脱可能であり、底板部を除去したリーフベース本体の底部は開口している。このため、耐久性あるプラスチックを材料としてリーフベース本体を製造する際に、容易に成形加工することが可能である。しかも、リーフベース本体には開口部を収容物の出し入れ口とする容器が形成されているので、卓上リーフベースを例えば筆箱等の収納器具として利用することも可能となる。すなわち、堅牢な構造を生かして、卓上面の有効利用を図ることが可能となる。
【００１０】
さらに、リーフベース本体の底板部は着脱可能であり、しかも、リーフベース本体の底面壁だけでなく正面壁又は背面壁の一部をも構成するので、当該正面壁又は背面壁の部分に、例えばスポンサーの名称あるいは広告を表示することにより、スポンサー毎に底板部のみを異ならせた卓上リーフベースを製造することが可能となる。底板部を除く残余の部分は同一に製造することが可能であるため、例えばスポンサー名の変更に低コストで対応できる卓上リーフベースを製造することが可能となる。また、底板部は、リーフベース本体の底面壁だけでなく、当該底面壁につづく正面壁又は背面壁の一部をも構成するものであるため、リーフベース本体に形成される容器に重量有る収容物を収容した場合に、撓み変形を起こし難い。従って、リーフベース本体に形成される容器が、底板部をも含めて堅牢なものとなる。すなわち底板部が、リーフベース本体に形成される容器を堅牢なものとすると同時に、卓上リーフベースをスポンサー名等の変更に低コストで対応可能なものとしている。
【００１１】
本発明のうち第２の態様に係るものは、第１の態様に係る卓上リーフベースであって、前記リーフベース本体が、前記左右壁の内側表面に、前記底板部の左右端縁を受け入れて前後方向に案内する案内溝を有するものである。
【００１２】
この構成によれば、リーフベース本体の左右壁の内側表面に設けられた案内溝に、底板部の左右端縁が案内されるので、底板部を前後に滑らせることにより容易に着脱することができる。また、装着されているときに収容物から受ける重量によって、底板部が容易に外れることなく、装着状態を維持することができる。すなわち、底板部を着脱可能としつつ、底板部を含んで形成される容器を堅牢なものとすることができる。
【００１３】
本発明のうち第３の態様に係るものは、第１又は第２の態様に係る卓上リーフベースであって、前記正面壁が、前記開口部の上方にも残されているものである。
【００１４】
この構成によれば、正面壁が開口部の下方だけでなく上方にも残されているので、ファイルバインダの複数のリングに吊り下げられたリーフ群が、開口部を挟んだ正面壁の上方部分と下方部分との双方によって安定的に支持される。
【００１５】
本発明のうち第４の態様に係るものは、第１ないし第３の何れかの態様に係る卓上リーフベースであって、前記左右壁が、前記開口部の上方にも残されているものである。
【００１６】
この構成によれば、左右壁が開口部の上方にも残されているので、この部分が、リーフベース本体の形状を一定に保持する補強リブとして機能する。すなわち、リーフベース本体の堅牢性がさらに向上する。
【００１７】
本発明のうち第５の態様に係るものは、第１ないし第４の何れかの態様に係る卓上リーフベースであって、前記開口部が、前記正面壁から前記左右壁まで連結しているものである。
【００１８】
この構成によれば、開口部が正面壁から左右壁まで連結しているので、開口部を通じた収容物の出し入れが容易である。
【００１９】
本発明のうち第６の態様に係るものは、第５の態様に係る卓上リーフベースであって、前記開口部が、前記左右壁を前記背面壁に達するように横断しているものである。
【００２０】
この構成によれば、開口部が、左右壁を背面壁に達するように横断しているので、開口部がさらに広くなる。このため、開口部を通じた収容物の出し入れがさらに容易となる。
【００２１】
本発明のうち第７の態様に係るものは、第１ないし第６の何れかの態様に係る卓上リーフベースであって、前記底板部を外した前記リーフベース本体の内部に、自身と同一形状の別の卓上リーフベースを挿入して重ねることが可能なように、前記開口部の下方に位置する前記容器の前記左右壁が残余の部分よりも左右外方に張り出しているものである。
【００２２】
この構成によれば、開口部の下方に位置する容器の左右壁が左右外方に張り出すことにより、底板部を外した卓上リーフベースのリーフベース本体が、他の卓上リーフベースの容器より上方の部分を底部から受け入れることが可能となっている。すなわち、底板部が着脱可能であることを利用して、卓上リーフベースを積み重ねることが可能となっており、多数の卓上リーフベースをコンパクトな状態で収納あるいは搬送することが可能となる。
【００２３】
本発明のうち第８の態様に係るものは、第１ないし第７の何れかの態様に係る卓上リーフベースであって、前記底板部を外した前記リーフベース本体の内部に、自身と同一形状の別の卓上リーフベースを挿入して重ねることが可能なように、前記リーフベース本体が、正面視略台形であるものである。
【００２４】
この構成によれば、リーフベース本体が正面視略台形であることにより、底板部を外した卓上リーフベースのリーフベース本体が、他の卓上リーフベースを底部から受け入れることが可能となっている。すなわち、底板部が着脱可能であることを利用して、卓上リーフベースを積み重ねることが可能となっており、多数の卓上リーフベースをコンパクトな状態で収納あるいは搬送することが可能となる。
【００２５】
本発明のうち第９の態様に係るものは、第７または第８の態様に係る卓上リーフベースであって、前記底板部を外した前記リーフベース本体の内部に、自身と同一形状の別の卓上リーフベースを挿入して重ねたときに、前記別の卓上リーフベースの複数のリングが当接する部位に、当該複数のリングを逃す複数のスリットが、前記リーフベース本体の前記正面壁と前記背面壁との少なくとも一方壁に開口しているものである。
【００２６】
この構成によれば、底板部を外した卓上リーフベースのリーフベース本体に、底面から別の卓上リーフベースを挿入したときに、リーフベース本体の正面壁と背面壁との少なくとも一方壁に開口する複数のスリットに、別の卓上リーフベースの複数のリングを逃がすことができる。それにより、卓上リーフベースを密に積み重ねることが可能となる。すなわち、多数の卓上リーフベースを、より一層コンパクトな状態で収納あるいは搬送することが可能となる。
【００２７】
本発明のうち第１０の態様に係るものは、第９の態様に係る卓上リーフベースであって、前記リーフベース本体の前記複数のスリットの各々の左右に隣接する部位に、前記正面壁と前記背面壁とをつなぐ板部材が設けられているものである。
【００２８】
この構成によれば、正面壁と背面壁とをつなぐ板部材が設けられているので、この部分が、リーフベース本体の形状を一定に保持する補強リブとして機能する。すなわち、リーフベース本体の堅牢性が向上する。さらに、板部材が複数のスリットの各々の左右に隣接して設けられているので、底板部を外した卓上リーフベースのリーフベース本体に、底面から別の卓上リーフベースを挿入したときに、別の卓上リーフベースの複数のリングの左右の動きが、スリットの縁だけでなく板部材の表面で規制される。複数のリングへの当接面が広くなるので、当接による複数のリングの損傷を防止することができる。
【００２９】
本発明のうち第１１の態様に係るものは、第１ないし第１０の何れかの態様に係る卓上リーフベースであって、前記ファイルバインダは、前記リーフベース本体の前記天面に沿って、当該天面と略同一幅で取り付けられる細長状の支持部をさらに有しているものである。また、前記複数のリングは前記支持部に開閉可能に支持されている。さらに、前記複数のリングの各々は、閉じたときに前記支持部からせり出して正面側及び背面側の上方に傾斜して伸びる直線状部分を有している。
【００３０】
この構成によれば、ファイルバインダの細長状の支持部が、リーフベース本体の天面に沿って、この天面と略同一幅で取り付けられており、ファイルバインダの複数のリングの各々が、閉じたときに支持部からせり出して正面側及び背面側の上方に傾斜して伸びる直線状部分を有している。このために、例えば１年分１２枚のカレンダー月表を有するリーフ群を綴じて吊り下げた場合に、これらの月表の一部が浮き上がることなく、いずれもが互いに密着した状態で保持される。
【００３１】
本発明のうち第１２の態様に係るものは、リーフベース本体であって、正面視略長方形ないし略台形かつ側面視略台形の中空略六面体から、正面壁と左右壁とに開口部が形成されることにより、当該開口部を収容物の出し入れ口とする容器が前記開口部の下方に形成されて成り、当該容器の底面壁と、それに連なる前記正面壁又は背面壁のいずれかの底部付近と、を構成する底板部が、着脱可能であるものである。
【００３２】
この構成によるリーフベース本体は、本発明の第１の態様に係る卓上リーフベースが備えるリーフベース本体と同一の構造を有するので、当該卓上リーフベースの部品として、その製造に使用するのに好適である。
【００３３】
本発明のうち第１３の態様に係るものは、第１２の態様に係るリーフベース本体であって、前記リーフベース本体の細長状の天面に沿った複数箇所に、ファイルバインダを締結するための貫通孔が形成されているものである。
【００３４】
この構成によれば、リーフベース本体の細長状の天面に沿った複数箇所に、ファイルバインダを締結するための貫通孔が形成されているので、ファイルバインダの取り付けが容易である。
【００３５】
本発明のうち第１４の態様に係るものは、リーフ印刷物であって、長方形のシート状であり、全体を二分する中心線に沿って切り取り用のミシン目が形成されており、前記中心線に沿った複数部位の付近であって前記中心線に対して対称となる位置に、それぞれ綴じ孔が形成され、前記中心線の両側には前記中心線を上辺とするよう印刷が施されているものである。
【００３６】
この構成によれば、ミシン目に沿ってリーフ印刷物を切り離し、例えば本発明の卓上リーフベースの複数のリングをリーフ印刷物の複数の綴じ孔にそれぞれ通すことにより、切り離されたリーフ印刷物を卓上リーフベースに差し替え可能に吊り下げて使用に供することができる。リーフ印刷物は、使用に供される大きさの２倍の大きさではあるが、２倍の大きさであっても略同一コストで印刷が可能である。それゆえ、所定枚数のリーフ印刷物を印刷するのに要するコストの節減を図ることができる。
【００３７】
本発明のうち第１５の態様に係るものは、第１４の態様に係るリーフ印刷物であって、前記中心線の側に段差が繰り返し現れる模様の飾り罫線が、前記中心線の付近かつ両側に、前記中心線に沿って印刷されているものである。
【００３８】
この構成によれば、ミシン目に沿ってリーフ印刷物を切り離した後に現れるミシン目の痕跡としての凹凸が、中心線の側に段差が繰り返し現れる模様の飾り罫線によってカムフラージュされることにより、視覚上目立たなくなる。
【００３９】
本発明のうち第１６の態様に係るものは、第１４又は第１５の態様に係るリーフ印刷物であって、  前記中心線により二分された一方半面及び他方半面の少なくとも一方の表裏の一方又は双方に、前記中心線を上辺とするカレンダーが印刷されているものである。
【００４０】
この構成によれば、ミシン目に沿ってリーフ印刷物を切り離し、例えば本発明の卓上リーフベースに吊り下げることにより、月表を表示する卓上カレンダーとして使用に供することができる。  
【００４１】
本発明のうち第１７の態様に係るものは、第１６の態様に係るリーフ印刷物であって、  前記カレンダーが、前記一方半面の表裏の一方又は双方に印刷されており、前記一方半面及び他方半面のうちの残る表裏の面に広告が印刷されているものである。
【００４２】
この構成によれば、カレンダーが印刷されたリーフ印刷物に、さらに広告が印刷されているので、例えば、カレンダーを印刷したリーフ印刷物を営業媒体としてユーザに提供するスポンサーは、リーフ印刷物の営業媒体としての意義を、印刷された広告を通じてさらに高めることができる。カレンダーが印刷された半面とは異なる半面に印刷された広告は、遺棄されることもあり得るが、切り離し前の状態でリーフ印刷物をユーザに届けることによって、切り離し前にユーザが広告に目を触れるようにすることが可能である。
【００４３】
本発明のうち第１８の態様に係るものは、第１６の態様に係るリーフ印刷物であって、前記カレンダーが、表裏の一方面の、前記中心線により二分された一方半面及び他方半面の双方に、前記中心線を上辺とするように印刷されており、表裏の他方面には前記中心線を跨いで一体的に広告が印刷されているものである。
【００４４】
この構成によれば、カレンダーが印刷されたリーフ印刷物に、さらに広告が印刷されているので、例えば、カレンダーを印刷したリーフ印刷物を営業媒体としてユーザに提供するスポンサーは、リーフ印刷物の営業媒体としての意義を、印刷された広告を通じてさらに高めることができる。カレンダーが印刷された表裏の一方面とは異なる他方面に、中心線を跨いで一体的に広告が印刷されているので、ユーザの注意を喚起することができ、広告効果を高めることができる。切り離し後には、広告は分断されるので意味をなさない場合もあるが、切り離し前の状態でリーフ印刷物をユーザに届けることによって、切り離し前にユーザが広告に目を触れるようにすることが可能である。
【００４５】
本発明のうち第１９の態様に係るものは、第１６ないし第１８の何れかの態様に係るリーフ印刷物であって、前記カレンダーが月表であり、当該月表は、日数字を配置する枠が６週分に相当する上下６段に設けられ、最下段の日数字が配置されない空白領域に広告が印刷されているものである。
【００４６】
この構成によれば、年に希に生じる第６段の日数字の存在のために、リーフ印刷物の配布を受けたユーザは、第５段より下方の広告が印刷されている部分を切り捨てて使用に供する、ということができなくなる。このため、リーフ印刷物の配布によるスポンサーの営業の効果を有効ならしめることができる。
【００４７】
本発明のうち第２０の態様に係るものは、第１６ないし第１９の何れかの態様に係るリーフ印刷物であって、前記カレンダーが月表であり、当該月表は、下辺に沿って月数字と広告とが印刷されているものである。
【００４８】
この構成によれば、下辺に沿って広告と共に印刷されている月数字の存在のために、リーフ印刷物の配布を受けたユーザは、広告が印刷されている下辺に沿った部分を切り捨てて使用に供する、ということができなくなる。このため、リーフ印刷物の配布によるスポンサーの営業の効果を有効ならしめることができる。
【発明の効果】
【００４９】
以上のように本発明によれば、リーフ群の差し替えが容易であり、一旦取り付けたリーフ群が不用意に脱落することがなく、長期の使用に耐えるよう堅牢な構造であり、かつ製造が容易であり、さらに、スポンサー名等の変更に低コストで対応し得る卓上リーフベースが実現する。さらに本発明によれば、上記卓上リーフベースの製造に好適なリーフベース本体、及び前記卓上リーフベースへの使用に好適で、かつ製造コストを節減し得るリーフ印刷物が得られる。
【図面の簡単な説明】
【００５０】
【図１】本発明の実施の形態による卓上リーフベースの構成を示す斜視図である。
【図２】図１のリーフベース本体の底部付近の一部、及び底板部を示す部分斜視図である。
【図３】図１のＡ−Ａ切断線に沿った卓上リーフベースの断面図である。
【図４】図１の卓上リーフベースを上方かつ、やや斜め右側から見た外観図である。
【図５】リングが開状態にあるときの図１のファイルバインダの断面図である。
【図６】リングが閉状態にあるときの図１のファイルバインダの断面図である。
【図７】図１の卓上リーフベースの使用形態を示す側面図である。
【図８】図１の卓上リーフベースの使用形態を示す斜視図である。
【図９】図１の卓上リーフベースを積み重ねた様子を示す斜視図である。
【図１０】図１の卓上リーフベースを積み重ねた様子を示す背面図である。
【図１１】図１の卓上リーフベースの製造工程を示す工程図である。
【図１２】図８に例示した月表を製造する工程における中間生成物としてのリーフ印刷物を例示する平面図である。
【図１３】飾り罫線の様々な例を示す平面図である。
【図１４】図８に例示した月表を製造する過程で生成されるリーフ印刷物の別の例を示す斜視図である。
【図１５】図８に例示した月表を製造する過程で生成されるリーフ印刷物のさらに別の例を示す平面図である。
【図１６】本発明の別の実施の形態による卓上リーフベースの構成を示す斜視図である。
【図１７】本発明のさらに別の実施の形態による卓上リーフベースの構成を示す正面図である。
【発明を実施するための形態】
【００５１】
図１は、本発明の実施の形態による卓上リーフベースの構成を示す斜視図である。この卓上リーフベース１０１は、例えばカレンダーなどのリーフ群を交換可能に吊り下げることができるように構成されており、リーフベース本体５０とファイルバインダ５２とを有している。リーフベース本体５０は、プラスチックを一体成型することにより製造されるもので、正面視略長方形かつ側面視略台形の中空略六面体から、正面壁と左右壁とに選択的に開口部が形成されて成る形状を有している。より具体的には、リーフベース本体５０は、天面壁１、上部正面壁２、下部正面壁３、上部左右壁４、下部左右壁６、背面壁７、及び底板部５４を有している。底板部５４は、前後にスライドさせることにより着脱可能である。
【００５２】
正面開口部１５は、傾斜した正面壁から上部正面壁２及び下部正面壁３を残して、それらに挟まれた中間部を、あたかも切除することによって形成されている。同様に、左右開口部１６は、ほぼ直立する左右壁から上部左右壁４及び下部左右壁６を残して、それらに挟まれた中間部を、あたかも切除することによって形成されている。正面開口部１５及び左右開口部１６の下方には、下部正面壁３、下部左右壁６、及び背面壁７が連結しており、それによって、リーフベース本体５０の土台となる下部は変形し難い堅牢な構造となっている。同時にこの部分は、底板部５４とともに、例えば筆記具等を収容する容器を形成している。正面開口部１５及び左右開口部１６は、この容器への収容物の出し入れ口として機能する。すなわち卓上リーフベース１０１は、リーフベース本体５０の土台部分の堅牢な構造を生かして、卓上面の有効利用を図るものとなっている。また上部左右壁４は、リーフベース本体５０に正面開口部１５及び左右開口部１６が存することによって、リーフベース本体５０の上部が不測の荷重、例えばファイルバインダ５２の操作に伴う不用意な荷重により変形するのを防止する補強リブとして機能する。
【００５３】
リーフベース本体５０の底部には、底面開口部１７が形成されている。底面開口部１７は、上記の中空六面体から底面壁及びこれに連なる正面壁の底部付近を、あたかも切除することによって形成されている。この底面開口部１７を埋めるように、リーフベース本体５０には、その一部を成す底板部５４が着脱可能に取り付けられる。底板部５４を除去したリーフベース本体５０の底部は開口しているので、金型を用いてプラスチックを一体成型することにより、底板部５４を除くリーフベース本体５０を容易に製造することが可能となる。底板部５４も同様に、プラスチックを一体成型することにより形成することが可能である。
【００５４】
リーフベース本体５０には、さらに、細長状の天面壁１の上面、すなわちリーフベース本体５０の天面に沿うように、ファイルバインダ５２が取り付けられている。ファイルバインダ５２は、２本のリング２１、細長状の支持部２２、及び２個のカシメ（リベット）２３を有している。支持部２２は、天面壁１の上面に沿うように２個のカシメ２３によってリーフベース本体５０に固定されている。２本のリング２１は、支持部２２の長手方向に沿った２箇所において、支持部２２に開閉可能に支持されている。支持部２２の長手方向両端部に設けられている２個のレバー２４を下方に押すことにより、２本のリング２１の上部を前後に開くことができる。２本のリング２１の一方又は双方を指でつまむことにより、一旦開いた２本のリング２１を閉じることができる。２本のリング２１は一旦閉じられると、レバー２４が下方に押されること無しには容易には開かないように、支持部２２の機構により閉状態が維持される。
【００５５】
リーフベース本体５０の左右端部は、下部左右壁６が残余の部分よりも左右外方に張り出している。より具体的には、上部左右壁４は、その外方表面が背面壁７の左右端面５と同一平面をなし、下部左右壁６は、その内方表面が背面壁７の左右端面５と同一平面をなしている。このことが、卓上リーフベース１０１のリーフベース本体５０の底部から内部へ、別の卓上リーフベース１０１を挿入することにより、複数の卓上リーフベース１０１を積み重ねることを可能にしている。
【００５６】
上部正面壁２には、別の卓上リーフベース１０１が挿入されたときに、挿入された卓上リーフベース１０１の２本のリング２１を逃がして、深く挿入することを可能にするために、２本のスリット１２が形成されている。各スリット１２は、各リング２１の直下に位置し、上下に伸びるように形成されている。リーフベース本体５０の正面には正面開口部１５が開口しているので、各スリット１２は、上部正面壁２の下面に開口することにより正面開口部１５に連通するように形成されている。下部左右壁６には、その底部付近であって、かつ背部付近に、前後に伸びる別のスリット９が形成されている。スリット９は、後述するように、底板部５４の戻り止め機構を構成する。
【００５７】
上部正面壁２には、さらに、その外側表面に、例えば「Ｆｉｌｅ  Ｈａｎｇｅｒ（登録商標）」といった、卓上リーフベース１０１の製造者の出所表示あるいは広告が、印刷等により表示されている。正面壁の底部付近をなす底板部５４の正面部分の外側表面には、卓上リーフベース１０１とともに、当該卓上リーフベース１０１に吊り下げるべきカレンダー等のリーフ群をユーザに提供するスポンサーの出所表示４５あるいは広告が、印刷等により表示されている。
【００５８】
図２は、リーフベース本体５０の底部付近について、一部を削除して示す部分斜視図である。底板部５４は、底面を成す底面壁４２と、この底面壁４２の正面側端部から背面側へ傾斜して起立する正面壁４１とを有している。底板部５４がリーフベース本体５０に、その一部を成すように装着されたときに、底面壁４２はリーフベース本体５０の底面壁を構成し、正面壁４１はリーフベース本体５０の下部正面壁３に連続し、下部正面壁３とともにリーフベース本体５０の下部の正面壁を構成する。
【００５９】
リーフベース本体５０の下部左右壁６の各々の内側表面の底部付近に、底板部５４の底面壁４２の左右端縁をそれぞれ受け入れて、当該左右端縁を前後方向に案内する案内溝８が形成されている。案内溝８は、下部左右壁６の前後方向の全幅にわたって形成されている。これにより、底面壁４２の左右端部を案内溝８に挿入して、底板部５４をリーフベース本体５０の正面側から背面側へ押し込むことにより、底板部５４をリーフベース本体５０の一部を成すように装着することができ、逆の操作により取り外すことができる。底板部５４がリーフベース本体５０に装着されるときに、底板部５４の正面壁４１の左右端部がリーフベース本体５０の下部左右壁６と干渉しないように、底板部５４の正面壁４１は、その左右端面が内側に後退している。図２の例では、正面壁４１の左右端面は、底板部５４がリーフベース本体５０に装着されたときに、リーフベース本体５０の下部左右壁６の内側表面と同一面となる位置に設定されている。
【００６０】
リーフベース本体５０に形成された容器は、文具等の軽量なものを収容する目的だけでなく、小銭入れとして多数の硬貨を収容するなど、重量のあるものを収容する目的で使用することもあり得る。底板部５４が案内溝８に支持されるため、重量有る収容物を収容した場合であっても、底板部５４が抜け落ちることを防ぐことができる。このことは特に、重量有る収容物を収容したままで卓上リーフベース１０１を持ち上げたときに有意義である。また、底板部５４が正面壁４１を有しているので、底板部５４の剛性が高められる。このため、重量有る収容物を収容したときに、底板部５４の中央部が下方へ沈み込むように底板部５４が撓むことを抑制ないし緩和することができる。このことも特に、重量有る収容物を収容したままで卓上リーフベース１０１を持ち上げたときに有意義である。すなわち、底板部５４が正面壁４１を有することは、底板部５４を堅牢なものとすると同時に、スポンサー毎に異なるスポンサー名などを表示することを可能にするものである。
【００６１】
底板部５４の左右端部の背部付近には、底板部５４の戻り止め機構を構成する爪４３が形成されている。爪４３は、底板部５４の背面側から前方へ向かうように伸び、かつ幾分左右外方に広がりつつ伸びるように形成されている。爪４３は、適度な弾性を有しており、底板部５４がリーフベース本体５０に装着されるときには、左右内方に屈曲して案内溝８内に納まる。これにより、底板部５４は爪４３によって妨げられることなく、案内溝８に案内される。底板部５４が背面壁７に当接するまで押し込められると、爪４３は左右壁４に設けられたスリット９により、本来の形状に復帰してスリット９内に納まる。その結果、爪４３の先端部がスリット９の正面側内壁面に当接することにより、リーフベース本体５０への底板部５４の装着状態が維持される。すなわち、爪４３及びスリット９は、スナップ型の戻り止め機構を構成する。スリット９の外側から、例えばユーザが手に持つ筆記具の先端部、例えばメカニカルペンシルの芯、ボールペンの先端部などを用いて、爪４３を押し込むことにより、戻り止め機能を解除することができる。戻り止め機構を解除しつつ底板部５４を引き出すことにより、底板部５４を取り外すことができる。卓上リーフベース１０１では、スリット９及び爪４３を有する戻り止め機構は、左右双方に設けられているが、左右の一方にのみ設けても良い。戻り止め機構を左右の一方のみに設けることにより、片方の手のみで戻り止め機能を解除することができるので、底板部５４の取り外しが一層容易となる。
【００６２】
底板部５４にはさらに、背部側端面から背部へ向かって突起する突起部４４が設けられている。図２の例では、突起部４４は背部側端面に沿って３箇所に設けられ、各箇所には１対の突起が形成されている。リーフベース本体５０の背面壁７には、底板部５４がリーフベース本体５０に装着されたときに、突起部４４を受け入れる貫通孔１１が形成されている。貫通孔１１は、突起部４４に対応する部位に設けられる。図２の例では、貫通孔１１は３箇所に設けられ、各箇所には、突起部４４を構成する１対の突起に対応する１対の貫通孔が形成されている。底板部５４がリーフベース本体５０に装着されたときに、突起部４４が貫通孔１１に挿入されることにより、底板部５４の上下方向の動きが規制される。このため、底板部５４を底とする容器の内部に重量有る収容物を収容したときに、底板部５４の中央部が下方へ沈み込むように底板部５４が撓（たわ）むことを、さらに有効に防ぐことができる。底板部５４の撓みを防止するために、案内溝８と同様の溝を背面壁７の内側表面に形成し、この溝が底面壁４２の背面側端縁を受け入れるようにしても良い。それにより、さらに重量のある収容物を容器内に収容することが可能となる。
【００６３】
図３は、図１のＡ−Ａ切断線に沿った卓上リーフベース１０１の断面図である。図３は、卓上リーフベース１０１のうち、ファイルバインダ５２が除去されており、リーフベース本体５０のみを表している。図３に明瞭に示されるように、背面壁７の左右端面、上部左右壁４の外側表面、及び下部左右壁６の内側表面は同一平面を成している。これにより、底板部５４を除去して、別の卓上リーフベース１０１を、リーフベース本体５０の底部から内部に挿入することが可能となる。
【００６４】
図３に例示するように、背面壁７にも、２本のリング２１を逃がすための２本のスリット１３が形成されている。上部正面壁２と背面壁７の双方に、スリット１２、１３がそれぞれ設けられることにより、一方にのみ設けられる場合と比べて、リーフベース本体５０の内部に一層深く、別の卓上リーフベース１０１を挿入することが可能となる。２本のスリット１３は、２本のスリット１２（図１）に対向する位置に形成される。背面壁７には正面開口部５１のような開口部が無いため、背面壁７に形成される２本のスリット１３は、上部正面壁２のスリット１２（図１）よりも下方に長く伸びたものとなっている。
【００６５】
図３に示すように、リーフベース本体５０の内部には、複数の補強リブ１４が形成されている。補強リブ１４は、上部左右壁４と同様の板部材であり、上部正面壁２と背面壁７の間をつなぐように形成され、さらに天面壁１にも連結されている。補強リブ１４は、上部左右壁４とともに、リーフベース本体５０をより堅牢なものとするために設けられる。図３に例示するように、補強リブ１４は、スリット１２、１３の左右の内周面に表面が段差無く連結するように、スリット１２、１３の左右に隣接する部位に形成される。それにより、リーフベース本体５０に、底面から別の卓上リーフベース１０１を挿入したときに、別の卓上リーフベース１０１のリング２１の左右の動きが、スリット１２，１３の内周面だけでなく補強部材１４の表面で規制される。リング２１に当接する面が広くなるので、当接によるリング２１の損傷を防止することができる。なお本発明は、上部正面壁２にのみスリット１２を形成し、背面壁７にはスリット１３４を設けない形態を採ることも、逆に、背面壁７にのみスリット１３を形成し、上部正面壁２にはスリット１２を形成しない形態を採ることも可能である。
【００６６】
リーフベース本体５０の天面壁１には、その長手方向にそった２箇所に貫通孔１８が形成されている。この貫通孔１８に、ファイルバインダ５２の支持部２２に設けられた貫通孔とともに、カシメ２３を差し込み、ポンチ等を用いてかしめることにより、ファイルバインダ５２の支持部２２が、天面壁１の上に固定される。カシメ２３に代えて、貫通孔１８にネジ込む形態のネジを用いて、支持部２２を天面壁１に締結してもよい。また、ボルトを使用し、天面壁１の下面側に配置されるナットと共同して支持部２２を天面壁１に締結しても良い。
【００６７】
図４は、卓上リーフベース１０１を上方かつ、やや斜め右側から見た外観図である。図４が明瞭に示すように、２本のスリット１２及び２本のスリット１３は、いずれも２本のリング２１の直下の部位に形成されている。ファイルバインダ５２の細長状の支持部２２の短手方向の幅は、天面壁１の上面の短手方向の幅と略同一に設定されている。支持部２２の長手方向の両端部に設けられた２個のレバー２４が、天面壁１の長手方向の端部からはみ出さないように、レバー２４を含めた支持部２２の全長が、天面壁１の長手方向の全長以下に設定されている。このため、リーフベース本体５０の内部に別の卓上リーフベース１０１を挿入するときに、別の卓上リーフベース１０１のファイルバインダ５２の支持部２２が、リーフベース本体５０と干渉することを回避することができる。さらに、支持部２２の短手方向に沿ったレバー２４の幅は、支持部２２の残余の部分の幅を超えないように設定されている。それにより、２本のリング２１に吊り下げられるリーフ群が、レバー２４により跳ね上がることを回避することができる。支持部２２の上面には、図４に例示するように、卓上リーフベース１０１の部品としてのファイルバインダ５２の供給元の出所表示あるいは広告を、例えばエンボス加工により表示することが可能である。
【００６８】
図５は、リング２１が開状態にあるときのファイルバインダ５２の断面図であり、図６は閉状態にあるときの同断面図である。ファイルバインダ５２は、長手方向に配置された金属製の２本のリング２１を固着させた細長い２枚の金属製の跳ね板２６を噛み合わせて並行配置し、これらが空中分解しないように金属製のカバー２５で包み込む構造を有している。すなわち支持部２２は、レバー２４の他に、２枚の跳ね板２６及びカバー２５を有している。金属製のレバー２４は、てこの原理で支点（図示略）の周りに傾動するように構成されている。レバー２４のうち、カバー２５の長手方向の両端から露出する一端部（図４参照）を指で押下すると、図５に示す他端部が跳ね上がり、それにより２枚の跳ね板２７の接合部を押し上げる。その結果、閉状態にある２本のリング２１が同時に開状態へ変位する。開状態にある２本のリング２１は、その一方又は双方を指で摘（つま）むことにより、同時に閉状態へ戻すことができる。閉状態に一旦移行した２本のリング２１は、２枚の跳ね板２７の弾性力により、閉状態に維持される。すなわち支持部２２には、一旦閉じられた２本のリング２１を閉じた状態に保持する保持機構が備わっている。ファイルバインダ５２が有する以上の機構は、ルーズリーフ用ファイルバインダとして従来周知のものであるので、さらなる詳述は略する。なお、ファイルバインダ５２として、レバー２４を設けない形態を採ることも可能である。この場合には、閉状態にある２本のリング２１の一方ないし双方を、ある程度の力を持って指で押し開くことにより、２本のリング２１を同時に開状態に変位させることができる。
【００６９】
２本のリング２１の各々は、閉じたときに支持部２２からせり出して、卓上リーフベース１０１の正面側及び背面側の上方に傾斜して伸びる直線状部分２８を有している。直線状部分２８は、吊り下げるべきリーフ群６０の厚さと同等ないしそれを幾分超える長さに設定される。また、既述の通り、支持部２２の短手方向の幅は、リーフベース本体５０の天面壁１の上面の短手方向の幅と略同一に設定されている。このため、例えば１２枚の月表を有するリーフ群６０を２本のリングにより綴じて吊り下げた場合に、図７に示すように、これらのリーフ群６０が、正面側及び背面側のリーフベース本体５０の斜面に、きちんと馴染んで密着する。
【００７０】
図８は、卓上リーフベース１０１の使用形態の一例を示す斜視図である。この例では、リーフ群６０として１２枚の月表６２を含むカレンダーが使用されている。各月表６２の上辺付近には、２本のリング２１に対応する部位に、２個の綴じ孔６１が形成されている。２個の綴じ孔６１に２本のリング２１をそれぞれ通すことにより、各月表６２は、２本のリング２１に吊り下げられる。底板部５４が装着されたリーフベース本体５０の下部には、容器が形成されているので、この容器に事務用品等の収容物７０を収容することができる。収容物７０を容器内へ投入したり、容器から取り出したりするときには、リーフベース本体５０の正面に吊り下がっている月表６２の全てを、指で上に跳ね上げることにより、正面開口部１５（図１）を露出させると良い。そうすることにより、この正面開口部１５を左右開口部１６とともに、収容物７０の出し入れ口として利用することができる。
【００７１】
リーフベース本体５０の正面に吊り下がる月表６２は、正面開口部１５を覆うこととなるので、月表６２が紙製のシートで構成される場合には、長期の使用に伴い、月表６２が正面開口部１５へ入り込むように湾曲する場合がある。これを回避するために、月表６２と同一寸法又は略同一寸法の適度な剛性を有する下敷６９を、リーフベース本体５０の正面に吊り下げておくのが望ましい。各月表６２は、下敷き６９の上に重なるように綴じられる。この下敷６９は、例えば、適度な厚さを有するプラスチックのシートに、綴じ孔６１を形成することにより得られる。
【００７２】
図９は、底板部５４を外した卓上リーフベース１０１を積み重ねた様子を示す斜視図である。また、図１０は同背面図である。図９及び図１０に明瞭に示されるように、スリット１２，１３（図４）を通して、リング２１の一部が外部に逃げることにより、卓上リーフベース１０１を密に積み重ねることが可能となっている。これにより、製造された卓上リーフベース１０１を、コンパクトな形態で保管したり、製造したりすることが可能となる。
【００７３】
図１１は、卓上リーフベース１０１を製造する工程を例示する工程図である。卓上リーフベース１０１を製造するには、まず底板部５４を除いたリーフベース本体５０の部分を、金型を用いたプラスチック成型加工により製造する。それとは別個に、ファイルバインダ５２を製造する。次に、カシメ２３を用いて、既に述べた要領でファイルバインダ５２をリーフベース本体５０に締結する。以上の工程とは別個に、金型を用いたプラスチック成型加工により底板部５４を製造する。底板部５４の正面壁４１には、卓上リーフベース１０１の納品先であるスポンサー毎に、異なる出所表示等が印刷される。あるいは、スポンサー毎に異なる金型を用いて、出所表示等を正面壁４１にエンボス加工しても良い。製造後の卓上リーフベース１０１を保管したり、納品先であるスポンサーへ搬送したりする際には、図９及び図１０に示したように、底板部５４を外した卓上リーフベース１０１を多数積み重ねるのが、保管や搬送に要するスペースを節減する上で好ましい。底板部５４は卓上リーフベース１０１と同梱しても良いし、別の包装に梱包しても良い。底板部５は、スライドさせることによって、リーフベース本体５０の一部となるよう、容易に装着することができる。それにより卓上リーフベース１０１が完成する。この最後の工程は、例えばスポンサーによって行われる。
【００７４】
図１２は、図８に例示した月表６２を製造する工程における中間生成物としてのリーフ印刷物を例示する平面図である。このリーフ印刷物６５は、一例として全体がＡ４サイズの矩形であり、Ａ５サイズに二分する中心線６３に沿って、ミシン目が形成されている。リーフ印刷物６５がミシン目に沿って切り離された後に、ミシン目に沿った凹凸が目立たないように、ミシン目は、いわゆるマイクロミシン目として形成されるのが望ましい。
【００７５】
中心線６３に沿った２箇所の部位の付近であって、中心線６３に対して対称となる位置に、それぞれ綴じ孔６１が形成されている。中心線６３により２分されるＡ５サイズの各面には、中心線６３を上辺とするように、印刷が施されている。図１２の例では、各面はカレンダーの月表６２となるように印刷されている。１枚のリーフ印刷物６５をミシン目に沿って二分することにより、２枚の月表６２が得られる。各月表６２は、卓上リーフベース１０１の２本のリング２１に、差し替え可能に吊り下げることにより、卓上カレンダーとして使用に供される。従って、リーフ印刷物６５の４個の綴じ孔６１は、卓上リーフベース１０１の２本のリング２１に、各月表６２を吊り下げるのに適した位置に形成される。
【００７６】
リーフ印刷物６５は、使用に供される月表６２の大きさの２倍の大きさではあるが、２倍の大きさであっても印刷コストは略同一である。それゆえ、月表６２の２倍の大きさのリーフ印刷物６５をまず作成することにより、所定枚数の月表６２を印刷するのに要するコストの節減を図ることができる。また、リーフ印刷物６５を、切り離すことなくそのままでユーザの手元に届け、ユーザが各月表６２へと切り離して使用に供することも可能である。厚みのあるものよりも、薄いものの方が郵便あるいは宅配便の料金が安く、しかも世界共通の定型サイズであるＡ４サイズであれば、特に料金が安くなるので、輸送コストが節減される。
【００７７】
中心線６３の付近であって、かつその両側には、中心線６３に沿うように飾り罫線６４を印刷するのが望ましい。飾り罫線６４として、中心線６３の側に段差が繰り返し現れる模様が選ばれる。中心線６３に沿ってリーフ印刷物６５を２枚に切り離した後に、各月表６２の上辺にミシン目の痕跡として現れる凹凸が、中心線の側に段差が繰り返し現れる模様の飾り罫線６４によってカムフラージュされることにより、視覚上目立たなくなる。
【００７８】
各月表６２は、日数字を配置する枠７２が６週分に相当する上下６段に設けられている。そして、最下段の日数字が配置されない空白領域に広告７３が印刷されている。１２箇月分の１２枚の月表の上端を綴じた卓上カレンダーにおいては、日数字を配置するスペースを節減するために、年に希にしか生じない、第６段の日数字については、第５段に重ねて表示するのが通例であった。例えば、第６段に３０（日曜日）、３１（月曜日）が現れる月には、第５段の２３（日曜日）、２４（月曜日）と重ねて、２３／３０（日曜日）、２４／３１（月曜日）のように表示されていた。そうして、カレンダーをユーザに配布するスポンサーの営業を目的とした広告を各月表に表示するときには、第５段より下方にスペースを設けて、このスペースに広告を配置する、という形態のものが通例となっていた。このため、カレンダーの配布を受けた顧客が、日数字の現れることのない第５段より下方の部分を切り捨てて、カレンダーを使用する、ということがしばしば見られていた。この場合、スポンサーにとっては、無償でカレンダーを配布した意味が無に帰することとなる。
【００７９】
図１２に例示する月表６２では、第５段に日数字を重ねることなく、６段に日数字が順に配置されている。このため、年に希に生じる第６段の日数字の存在のために、リーフ印刷物６５の配布を受けたユーザは、第５段より下方の広告が印刷されている部分を切り捨てて使用に供する、ということができなくなる。このため、リーフ印刷物６５の配布によるスポンサーの営業の効果を有効ならしめることができる。
【００８０】
図１２に示す月表６２では、さらに、下辺に沿って広告７３と並んで月数字７１が印刷されている。月数字７１の存在のために、リーフ印刷物６５の配布を受けたユーザは、第５段より下方の広告７３が印刷されている部分を切り捨てて使用に供する、ということができなくなる。このため、リーフ印刷物６５の配布によるスポンサーの営業の効果を有効ならしめることができる。従来の月表のように、日数字を５段に配置した場合においても、下辺に沿って広告７３と並んで月数字７１が印刷されておれば、月数字７１の存在のために、リーフ印刷物６５の配布を受けたユーザは、第５段より下方の広告が印刷されている部分を切り捨てて使用に供する、ということができなくなる。
【００８１】
図１３は、飾り罫線６４の様々な例を示す平面図である。図１３（ａ）〜（ｈ）に飾り罫線６４Ａ〜６４Ｈとして、それぞれ例示するように、飾り罫線６４は、中心線６３の側に適度なピッチで段差が繰り返し現れる模様であれば足りる。また、これらの例が示すように、飾り罫線６４は中心線６３に接していても良いし、中心線６３から僅かに離れていても良い。
【００８２】
図１４は、カレンダーの月表６２を製造する過程で生成される別のリーフ印刷物の例を示す斜視図である。このリーフ印刷物６５Ａは、ミシン目が形成された中心線６３により二分して得られる２枚の半面の一方にのみ月表６２が印刷され、他方半面には広告６６が印刷されている。また、リーフ印刷物６５Ａの裏面には、双方の半面に広告６６が印刷されている。一方半面の表裏双方に月表６２を印刷し、他方半面の表裏双方に広告６６を印刷しても良い。
【００８３】
リーフ印刷物６５Ａには広告６６が印刷されているので、カレンダーを印刷したリーフ印刷物６５Ａを、二分することなくそのままで、営業媒体としてユーザに提供するスポンサーは、営業媒体による宣伝効果をさらに高めることができる。ユーザは、リーフ印刷物６５Ａをミシン目に沿って二分した後に、月表６２が印刷された半面とは異なる半面に印刷された広告６６を、不要なものとして遺棄することもあり得る。しかしユーザは、二分する前には、広告６６に目を触れることとなる。二分する前のリーフ印刷物６５Ａがユーザに届けられたときには、広告６６は月表６２と一体のままになっているのであって、月表６３とは別体の広告６６が、月表６２と重ねてユーザに届けられる訳ではない。これは新聞広告に喩えれば、新聞紙上に掲載された広告と同等であって、新聞紙に挟み込まれ新聞紙とは別体の折り込み広告とは異なるものである。従って、月表６２が印刷された半面とは異なる半面に印刷された広告６６であっても、相応に高い宣伝効果を発揮し得る。
【００８４】
図１５は、カレンダーの月表６２を製造する過程で生成される更に別のリーフ印刷物の例を示す平面図である。このリーフ印刷物６５Ｂは、表裏のうちの表面においては、ミシン目が形成された中心線６３により二分して得られる２枚の半面の双方に、中心線６３を上辺とするように月表６２が印刷されている。裏面においては、２枚の半面の双方に広告６７が印刷されている。図示を略するが、当該広告６７は、中心線６３を跨いで２枚の半面に一体的に印刷されている。例えば、自動車の広告であれば、自動者の車体の写真が、中心線６３を跨いで印刷されている。
【００８５】
リーフ印刷物６５Ｂには広告６７が印刷されているので、リーフ印刷物６５Ａと同様に、カレンダーを印刷したリーフ印刷物６５Ｂを、二分することなくそのままで、営業媒体としてユーザに提供するスポンサーは、営業媒体による宣伝効果をさらに高めることができる。特に、月表６２が印刷された表面の反対面である裏面に、中心線６３を跨いで一体的に広告が印刷されているので、ユーザの注意を喚起することができ、広告効果を高めることができる。ミシン目を有する中心線６３に沿ってリーフ印刷物６５Ｂを二分した後には、広告は６７は分断されるので意味をなさない場合もあり得るが、ユーザは二分する前に広告６７に目を触れることとなる。従って、リーフ印刷物６５Ａについて説明したところと同じ理由により、相応に高い宣伝効果を発揮し得る。
【００８６】
（その他の実施の形態）
（１）  卓上リーフベース１０１では、底板部５４は正面壁４１を有し、正面からリーフベース本体５０へ装着された。これに対し、図１６に示すように、底板部５４を背面からリーフベース本体５０へ装着するように、リーフベース本体５０を構成しても良い。この場合に、底板部５４の正面壁４１は背面側に位置し、背面壁として機能する。この場合には、リーフベース本体５０の背面側に設けられる貫通孔１１は、正面側に位置することとなる。また、背面寄りに設けられるスリット９は、正面寄りに設けられることとなる。
【００８７】
（２）  卓上リーフベース１０１では、リーフベース本体５０の正面開口部１５は、正面壁の左右全幅にわたって形成され、左右開口部１６は、左右壁の前後全幅に渡って形成された。これに対して、正面開口部１５は、正面壁の左右全幅のうちのある範囲に限って形成することも可能である。例えば、正面開口部１５は、左右両端部を残して形成されても良い。また、左右開口部１６は、左右壁の前後全幅のうちのある範囲に渡って形成することも可能である。例えば、左右開口部１６は、背面側をある程度残して形成されても良い。このような形態を採ることにより、リーフベース本体５０を一層堅牢なものとすることができる。一般に、正面開口部１５及び左右開口部１６は、リーフベース本体５０の下部に形成される容器への収容物７０の投入、取り出しが可能な形態であれば足りる。
【００８８】
（３）  別の卓上リーフベース１０１を、リーフベース本体５０の底部から内部に挿入することを容易にするために、図２に示した背面壁７の左右端面、上部左右壁４の外側表面、及び下部左右壁６の内側表面がなす平面は、直立した平面に代えて、下部から上部へ至るほど内側に向かうように、僅かに傾斜したものであっても良い。そうすることにより、リーフベース本体５０を一体成型するときに、成型後の金型の引き抜きが容易になるという利点も得られる。また、挿入を容易なものとするために、背面壁７の左右端面、及び上部左右壁４の外側表面は、下部左右壁６の内側表面よりもさらに内側に後退していても良い。
【００８９】
（４）  卓上リーフベース１０１は、正面視略長方形となるように形成されていた。これに対し、図１７の正面図に例示するように、本発明の卓上リーフベースは、正面視略台形となるように形成しても良い。そのように構成された卓上リーフベース１０２では、下部左右壁６を左右方向外方に張り出すように形成しなくても、別の卓上リーフベース１０２をリーフベース本体５０の底部から内部に挿入することが可能となる。
【００９０】
（５）  ファイルバインダ５２の構造として、図５及び図６に示すものを例示した。しかし、本発明の卓上リーフベースに使用されるファイルバインダは、図５及び図６に例示されるものに限定されるものではない。開閉可能な複数のリングを有し、これら複数のリングが一旦閉じられると、閉じた状態を保持する保持機構を有するものであれば、本発明の卓上リーフベースが備えるファイルバインダとして実施可能である。
【符号の説明】
【００９１】
１  天面壁
２  上部正面壁
３  下部正面壁
４  上部左右壁
６  下部左右壁
７  背面壁
８  案内溝
１２、１３  スリット
１４  補強リブ（板部材）
１５  正面開口部
１６  左右開口部
１７  底面開口部
１８  貫通孔
２１  リング
２２  支持部
４１  正面壁
４２  底面壁
５０  リーフベース本体
５２  ファイルバインダ
５４  底板部
６１  綴じ孔
６２  月表
６３  中心線
６４、６４Ａ〜６４Ｈ  飾り罫線
６５、６５Ａ、６５Ｂ  リーフ印刷物
６６、６７  広告
６９  下敷き
１０１、１０２  卓上リーフベース
【要約】
【課題】  リーフ群の差し替えが容易であり、長期の使用及び重量ある使用に耐える堅牢な容器構造を有し、製品を積み重ねることが可能であり、さらにスポンサー名の変更が容易な名入れ構造である卓上リーフベースを提供する。
【解決手段】  卓上リーフベース１０１は、リーフベース本体５０と、ファイルバインダ５２とを有する。リーフベース本体５０は、側面視略台形の中空略六面体の正面壁及び左右壁に、開口部１５、１６が選択的に形成されている。底板部５４は、前後にスライドさせることにより着脱可能であり、その正面部にはスポンサーの出所表示４５を表すことができる。開口部１５、１６の下方には容器が形成され、開口部１５、１６は収容物の出し入れ口として機能する。ファイルバインダ５２は、上部が開閉可能な２本のリング２１を有し、カレンダー等のリーフ群を着脱可能に吊り下げる。
【選択図】  図１【図１】
0004763844.tif 000002
【図２】
0004763844.tif 000003
【図３】
0004763844.tif 000004
【図４】
0004763844.tif 000005
【図５】
0004763844.tif 000006
【図６】
0004763844.tif 000007
【図７】
0004763844.tif 000008
【図８】
0004763844.tif 000009
【図９】
0004763844.tif 000010
【図１０】
0004763844.tif 000011
【図１１】
0004763844.tif 000012
【図１２】
0004763844.tif 000013
【図１３】
0004763844.tif 000014
【図１４】
0004763844.tif 000015
【図１５】
0004763844.tif 000016
【図１６】
0004763844.tif 000017
【図１７】
0004763844.tif 000018